(57)【特許請求の範囲】
【請求項１】
紙おむつの背側両側部に、側方に突出して取り付けられたファスニングテープを有し、前記ファスニングテープを紙おむつの腹側両側部に止着することによって紙おむつを身体に装着するようにしたテープ式紙おむつにおいて、
前記ファスニングテープは、おむつ長手方向に長手縁を有する矩形状とされるとともに、その全領域がおむつに対して固定されるおむつ取付部と、このおむつ取付部の外側縁から連続的に側方へ突出するとともに、おむつ側縁からの全突出量が５０mm以下とされるテープ本体部とからなる基材シートと、前記テープ本体部の表面側に貼着された面ファスナーとから構成され、
前記テープ本体部は、前記面ファスナーの外側縁より７〜３０mmの寸法で外方に突出する摘み代部分が形成されるとともに、この摘み代部分において、上下方向略中心から上半部分はほぼ前記面ファスナー外側縁上端又はその近傍から略上下方向中心線に至る円弧状曲線の外形線とし、前記上下方向略中心から下半部分は下端隅部を小曲線状に隅切りし実質的な摘み代とされ、
前記テープ本体部は、その上下方向中心位置が前記おむつ取付部の上縁から該取付部の巾寸法に対して１／４〜２／５の範囲に位置するように上部側に偏倚させて形成され、かつ前記面ファスナー外側縁より側方に突出する摘み代部分の中央位置におけるテープ巾が２０〜３５mmとされるとともに、前記おむつ取付部における巾寸法は、前記摘み代部分の中央位置におけるテープ巾に対して１．５〜３．０倍とされ、
前記ファスニングテープの紙おむつへの取付位置は、前記おむつ取付部の上縁がおむつ開口縁よりも股間側に５〜３０mmの位置とされ、
前記ファスニングテープにおいては、おむつ取付部に対し、巾方向に沿って伸縮性基材を配設し、該おむつ取付部に伸縮性を付与するとともに、前記伸縮性基材は、伸縮性基材の両側に夫々、ファスニングテープを構成する基材シートを接続することにより、おむつ巾方向に基材シート、伸縮性基材、基材シートの順で連続させてあり、
前記紙おむつへの取付部と前記テープ本体部との境界部分において、上側の外形線は隅部を小曲線状に隅切りした略矩形状を有し、下側の外形線は前記面ファスナー外側縁下端又はその近傍から前記取付部下端に至る円弧状曲線を有し、前記下側の境界部分の円弧状曲線は前記上側の境界部分の小曲線よりも大きい曲率半径を有し、且つ前記上側の境界部分の小曲線は全範囲がおむつに対して固定されるとともに、前記下側の境界部分の円弧状曲線は前記おむつ取付部側の範囲がおむつに対して固定され、これより外側部分の範囲がおむつ側縁から突出していることを特徴とするテープ式紙おむつ。
【請求項２】
前記基材シートのテープ本体部は、おむつ外側縁との交線部におけるテープ巾が３０〜５０mmとされる請求項１記載のテープ式紙おむつ。
【請求項３】
前記紙おむつの後身頃部分において、前記左右一対のファスニングテープの中間に対応する部分に、おむつ長手方向におむつ製品長さの１／１０〜１／４の範囲に亘り、水平方向に沿って弾性伸縮部材又は弾性伸縮部材と共に、これら弾性伸縮部材を包括するシート材を配設してある請求項１、２いずれかに記載のテープ式紙おむつ。
【請求項４】
前記後身頃に配設される弾性伸縮部材又はシート材に対して着色を施してある請求項３記載のテープ式紙おむつ。
【請求項５】
前記ファスニングテープにおいて、前記おむつ取付部に対して巾方向に沿って伸縮性基材を配設し、該取付部に伸縮性を付与してある請求項１〜４いずれかに記載のテープ式紙おむつ。
【発明の詳細な説明】
【技術分野】
【０００１】
本発明は、紙おむつの背側両側部に、側方に突出して取り付けられた機械接合式ファスニングテープを有するテープ式使い捨ておむつに関する。
【背景技術】
【０００２】
従来より、市販されているテープ式紙おむつは、例えば図６に示すように、装着のために紙おむつの後身頃の両側に、おむつ装着用のファスニングテープ５０，５０を備えるもので、使用に際しては紙おむつの前身頃および後身頃をそれぞれ着用者の身体に当てがった後、前記ファスニングテープ５０，５０を腹側に持ち込み、紙おむつ外面のポリエチレンシートなどの不透液性シートの表面に粘着剤により固定されているポリエチレン等のプラスチック材料よりなるフロントターゲットテープ５１（以下、ＦＴＴという。）に止着して紙おむつを固定するようにしている。
【０００３】
かかるテープ式紙おむつにおいては、１回の止着できっちりとおむつを装着するのは困難で、実際には何回かの止着直しによっておむつの装着を行うことが多々ある。例えば、一方のファスニングテープ５０をＦＴＴ５１に止着した後、他方のファスニングテープ５０がＦＴＴに届かないなどの場合には、止着し直さなければならない煩わしさがあるとともに、止着直しを何回か行っている間にＦＴＴが破けてしまうことがあった。
【０００４】
これらの問題点に対処するため、前記ファスニングテープ５０を粘着式ではなく、フック等による機械係合式とするとともに、おむつ外面を構成するバックシートを不織布とし、おむつの装着に当たり、前記ファスニングテープ５０を前記外面バックシート（不織布）の表面に直接的に係合させるようにした使い捨ておむつ（下記特許文献１、２等参照）や、前記ファスニングテープ５０をフック等による機械係合式とするとともに、バックシートの前身頃に雌材からなるＦＴＴを貼着し、おむつの装着に当たり、前記ファスニングテープ５０を前記ＦＴＴの表面に係合させるようにした使い捨ておむつ（下記特許文献３，４等参照）などが提案されている。
【特許文献１】特開２００１−８７３０９号公報
【特許文献２】特開２００２−２５３６０８号公報
【特許文献３】特開平１−１５６５０２号公報
【特許文献４】特開２００２−４５２１４号公報
【発明の開示】
【発明が解決しようとする課題】
【０００５】
しかしながら、上記特許文献１記載のファスニングテープのように、面ファスナーをファスニングテープの先端部分に貼着した場合には、面ファスナー部分を指で摘んだ際、面ファスナー部分が指で覆われるため接合し難いなどの問題がある。
【０００６】
また、上記特許文献２記載のファスニングテープの場合は、フック要素が相対的に基端側に位置し、先端側に摘み代が形成されており、該摘み代を指で摘んで接合することが可能であるけれども、摘み代先端の上下部隅部が小曲線状の隅切りがされた形状であるため、装着者が前屈みした際に、特に上側隅部が腹部を圧迫することがあるなどの問題があった。
【０００７】
さらに、上記特許文献３記載のファスニングテープの場合は、上記特許文献１と同様に、面ファスナーがファスニングテープの先端部分に貼着されているため、面ファスナー部分を指で摘んだ際、面ファスナー部分が指で覆われるため接合し難いなどの問題があるとともに、摘み代先端の上下部隅部が矩形状隅部となっているため、装着者が前屈みした際に、特に上側隅部が腹部を圧迫することがあるなどの問題があった。
【０００８】
上記特許文献４記載のファスニングテープの場合は、先端側に半円弧状の摘み代が形成されており、腹部を圧迫する問題は解決されるが、十分な摘み代が確保されておらず、指の一部が面ファスナーに掛かってしまうなどの問題があった。
【０００９】
一方で、おむつを身体に装着させるに当たり、ファスニングテープを指で摘んで前身頃側に引寄せる際、背側両側部のおむつフラップ部分にめくれが生じ易いなどの問題があった。
【００１０】
そこで本発明の主たる課題は、前述した問題点に鑑み、ファスニングテープの操作性を向上させることにより紙おむつを身体に装着し易くするとともに、装着状態で腹部への圧迫がないテープ式紙おむつを提供することにある。
【００１１】
また、背側両側部のおむつフラップ部分のめくれを防止しながら良好な状態でおむつを装着できるようにすることにある。
【課題を解決するための手段】
【００１２】
前記課題を解決するために請求項１に係る本発明として、紙おむつの背側両側部に、側方に突出して取り付けられたファスニングテープを有し、前記ファスニングテープを紙おむつの腹側両側部に止着することによって紙おむつを身体に装着するようにしたテープ式紙おむつにおいて、
前記ファスニングテープは、おむつ長手方向に長手縁を有する矩形状とされるとともに、その全領域がおむつに対して固定されるおむつ取付部と、このおむつ取付部の外側縁から連続的に側方へ突出するとともに、おむつ側縁からの全突出量が５０mm以下とされるテープ本体部とからなる基材シートと、前記テープ本体部の表面側に貼着された面ファスナーとから構成され、
前記テープ本体部は、前記面ファスナーの外側縁より７〜３０mmの寸法で外方に突出する摘み代部分が形成されるとともに、この摘み代部分において、上下方向略中心から上半部分はほぼ前記面ファスナー外側縁上端又はその近傍から略上下方向中心線に至る円弧状曲線の外形線とし、前記上下方向略中心から下半部分は下端隅部を小曲線状に隅切りし実質的な摘み代とされ、
前記テープ本体部は、その上下方向中心位置が前記おむつ取付部の上縁から該取付部の巾寸法に対して１／４〜２／５の範囲に位置するように上部側に偏倚させて形成され、かつ前記面ファスナー外側縁より側方に突出する摘み代部分の中央位置におけるテープ巾が２０〜３５mmとされるとともに、前記おむつ取付部における巾寸法は、前記摘み代部分の中央位置におけるテープ巾に対して１．５〜３．０倍とされ、
前記ファスニングテープの紙おむつへの取付位置は、前記おむつ取付部の上縁がおむつ開口縁よりも股間側に５〜３０mmの位置とされ、
前記ファスニングテープにおいては、おむつ取付部に対し、巾方向に沿って伸縮性基材を配設し、該おむつ取付部に伸縮性を付与するとともに、前記伸縮性基材は、伸縮性基材の両側に夫々、ファスニングテープを構成する基材シートを接続することにより、おむつ巾方向に基材シート、伸縮性基材、基材シートの順で連続させてあり、
前記紙おむつへの取付部と前記テープ本体部との境界部分において、上側の外形線は隅部を小曲線状に隅切りした略矩形状を有し、下側の外形線は前記面ファスナー外側縁下端又はその近傍から前記取付部下端に至る円弧状曲線を有し、前記下側の境界部分の円弧状曲線は前記上側の境界部分の小曲線よりも大きい曲率半径を有し、且つ前記上側の境界部分の小曲線は全範囲がおむつに対して固定されるとともに、前記下側の境界部分の円弧状曲線は前記おむつ取付部側の範囲がおむつに対して固定され、これより外側部分の範囲がおむつ側縁から突出していることを特徴とするテープ式紙おむつが提供される。
【００１３】
上記請求項１記載の本発明においては、ファスニングテープを成す基材シートのテープ本体部は、前記面ファスナーの外側縁より７〜３０mmの寸法で外方に突出する摘み代部分が形成されるとともに、この摘み代部分において、上下方向略中心から上半部分はほぼ前記面ファスナー外側縁上端又はその近傍から略上下方向中心線に至る円弧状曲線の外形線とし、前記上下方向略中心から下半部分は下端隅部を小曲線状に隅切りし実質的な摘み代とされる。従って、前記上半部分が大きな円弧状に形成されているため、装着者が前屈みした際に、特に上側隅部が腹部を圧迫することが無くなるとともに、下半部分によって十分な摘み代が確保されている。従って、指で摘んだ際、面ファスナー部分が指で覆われることがなくなり、ファスニングテープの操作性が向上し、紙おむつを身体に装着し易くなる。また、指で摘んで前身頃側に引き込む際、斜め下方向に引っ張り易くなる。さらに、使用に当たりファスニングテープを表面側に折り畳んである状態（製品状態）から、或いは装着時に前身頃に付け直しする際、さらに廃棄時にファスニングテープがめくり易くなる。
【００１４】
また、本発明においては、テープ本体部をおむつ取付部に対して、所定量だけ相対的に上部側に偏倚させて形成するものであり、おむつを装着するにあたり、テープ本体部の先端を摘んで前身頃側に引き寄せた際、おむつ取付部において、その上部側部分には水平方向の引張力が作用し、おむつの脇部フラップのめくれを防止しながらおむつを装着可能になるとともに、前記おむつ取付部の下部側部分には、基材シートの下方側への拡がりによって力が分散し、斜め上方向に向かう作用力が発生する。従って、この斜め上方向の引張力によって足回りにおける脚部フラップのめくれを防止することができる。
【００１５】
請求項２に係る本発明として、前記基材シートのテープ本体部は、おむつ外側縁との交線部におけるテープ巾が３０〜５０mmとされる請求項１記載のテープ式紙おむつが提供される。
【００１６】
請求項３に係る本発明として、前記紙おむつの後身頃部分において、前記左右一対のファスニングテープの中間に対応する部分に、おむつ長手方向におむつ製品長さの１／１０〜１／４の範囲に亘り、水平方向に沿って弾性伸縮部材又は弾性伸縮部材と共に、これら弾性伸縮部材を包括するシート材を配設してある請求項１、２いずれかに記載のテープ式紙おむつが提供される。
【００１７】
請求項４に係る本発明として、前記後身頃に配設される弾性伸縮部材又はシート材に対して着色を施してある請求項３記載のテープ式紙おむつが提供される。
【００１８】
請求項５に係る本発明として、前記ファスニングテープにおいて、前記おむつ取付部に対して巾方向に沿って伸縮性基材を配設し、該取付部に伸縮性を付与してある請求項１〜４いずれかに記載のテープ式紙おむつが提供される。
【発明の効果】
【００１９】
以上詳説のとおり本発明によれば、ファスニングテープの操作性を向上させることにより紙おむつを身体に装着し易くなるとともに、装着状態で腹部への圧迫がないテープ式紙おむつとすることができる。また、背側両側部のおむつフラップ部分のめくれを防止しながら良好な状態でおむつを装着できるようになる。
【発明を実施するための最良の形態】
【００２０】
以下、本発明の実施の形態について図面を参照しながら詳述する。
図１は本発明に係る使い捨て紙おむつの一部破断展開図、図２は横断面図である。
【００２１】
図１において、使い捨ておむつ１は、綿状パルプ等からなり、たとえば砂時計形状（または長方形状等）のある程度の剛性を有するとともに、クレープ紙５によって囲繞された吸収体４と、該吸収体４の表面側（使用面側）を覆うように配設された有孔または無孔の不織布や孔開きプラスチックシート等からなる透液性トップシート３と、前記吸収体の裏面側に配設され、少なくとも吸収体４の全面積を覆うように配設されたポリエチレン等からなる防漏シート６と、この防漏シート６の外面側（非肌当接面側）に設けられた不織布からなるとともに、おむつ外形を画成する外面バックシート２と、紙おむつの両側部に表面側に起立する立体ギャザーＢＳを形成するとともに、おむつ両側部では前記防漏シート６及びバックシート２と共にサイドフラップ部ＳＦを構成するためのサイド不織布７、７と、おむつ背側両側部に設けられた機械接合式のファスニングテープ１０，１０とから主に構成されている。また、紙おむつの腹部ウエスト部および背側ウエスト部では、前記外面バックシート２、防漏シート６および透液性トップシート３が共に延在し、吸収体４の存在しないエンドフラップ部ＥＦが形成されている。
【００２２】
装着に当たっては、図５に示されるように、紙おむつ１の前身頃および後身頃をそれぞれ着用者の身体に当てがった後、前記ファスニングテープ１０，１０を腹側に持ち込み、外面バックシート２の表面に直接的に係合させて紙おむつを装着する。
【００２３】
以下、更に各構成について具体的に詳述すると、
前記吸収体４は、たとえばフラッフ状パルプと吸水性ポリマーとにより構成され、図示例では脚回りへの当たりを和らげるために両側部に夫々括れ部を有する略砂時計状とされる。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。図示例のように、吸収体４をクレープ紙５で囲繞する場合には、結果的に透液性表面シート３と吸収体４との間にクレープ紙が介在することになり、吸収性に優れる前記クレープ紙５によって体液を速やかに拡散させるとともに、これら経血等の逆戻りを防止するようになる。
【００２４】
前記透液性トップシート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２５】
前記防漏シート６は、ポリエチレンやポリプロピレン等のオレフィン系樹脂シートなどの少なくとも遮水性を有するシート材が用いられ、漏れを防止するために少なくとも吸収体４の全面積を覆う範囲に設置される。近年は、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に遠心することにより得られる微多孔性シートであり、仮にシート厚が同じであれば無孔シートよりも剛性が低下するため、柔軟性の点で勝るものとなる。
【００２６】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、体液等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２７】
前記透液性トップシート３は、吸収体４側縁よりも若干外方に突出し、前記防漏シート６と接合されている。前記サイド不織布７は、前記吸収体４の側縁部近傍よりも外側部分が外縁まで延び、前記防漏シート６及び外面バックシート２と接合され、この積層シート部分によってサイドフラップＳＦを構成している。
【００２８】
このサイドフラップ部ＳＦにおいては、紙おむつ長手方向に複数本、図示の例では２本の弾性伸縮部材８，８が配設され、平面ギャザーが形成されている。この平面ギャザーは、着用した際に紙おむつをきっちりと脚周りにて保持することにより、フィット性を向上させ紙おむつがずれるのを防止する。
【００２９】
他方、前記サイド不織布７の前記固着部よりも内方側の不織布シート部分によって表面側に起立する立体ギャザーＢＳが形成されている。この立体ギャザーＢＳは、吸収体４の側縁近傍位置に起立端を有し、その先端が紙おむつ長手方向に沿って二重に折り返され、この折り返し部の内方に１本の弾性伸縮部材９を、または必要により複数本の弾性伸縮部材を配設することにより、その伸縮力を利用して立体ギャザーＢＳを起立させるようになっている。
【００３０】
前記弾性伸縮部材８，９としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００３１】
前記サイド不織布７を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、エアスルー法、メルトブローン法、ニードルパンチ法等の適宜の加工方法に得られた不織布を用いることができるが、特にサイドフラップ部ＳＦを構成する前記サイド不織布７は、ゴワ付き感を無くすとともに、ムレを防止するために、坪量を抑えて通気性に優れた不織布を用いるのがよい。
【００３２】
前記機械接合式のファスニングテープ１０は、プラスチック、ポリラミ不織布、不織布、紙等の基材シート１１と、この基材シート１１の側方突出部分であってかつ表面側（透液性トップシート３側の面）に貼着された面ファスナー１２とからなる。以下、更に前記ファスニングテープ１０について具体的に詳述する。なお、テープの巾方向とはおむつ長手方向の寸法をいい、テープの長さ又は突出寸法とはおむつ巾方向の寸法をいう。
【００３３】
前記基材シート１１は、詳細には図３に示されるように、おむつ取付部１１Ａと、側方へ突出するテープ本体部１１Ｂとから構成されている。前記おむつ取付部１１Ａは、おむつ長手方向に長手縁を有する矩形状とされ、前記テープ本体部１１Ｂは前記おむつ取付部１１Ａの外側縁から連続的に側方に突出し、前記面ファスナー１２が貼着されている。
【００３４】
前記テープ本体部１１Ｂは、前記面ファスナー１２の外側縁１２ｂより７〜３０mm、好ましくは１０〜１５mmの寸法Ａで外方に突出する摘み代部分１１ａが形成され、この摘み代部分１１ａにおいて、巾方向中心線Ｋ１から上半部分はほぼ前記面ファスナー１２の外側縁１２ｂ上端又はその近傍から巾方向中心線Ｋ１に至る大きな円弧状曲線（Ｒ１）を成す外形線とし、前記巾方向中心線Ｋ１から下半部分は下端隅部を小曲線状（Ｒ２＜Ｒ１）に隅切りされた略矩形状部分とされ、この略矩形状部分が実質的な摘み代とされる。上記Ａ寸法が７mm以下の場合には、摘み代の突出長として不十分で指で摘んだ際、指が面ファスナー１２に掛かってしまうことになる。また、前記Ａ寸法が３０mmを越える場合には、腹部に圧迫感を与えるなど装着感を損なうものとなる。
【００３５】
また、前記面ファスナー外側縁より側方に突出する摘み代部分１１ａの中央位置（中央線Ｋ２位置）におけるテープ巾Ｂは２０〜３５mmとするのが望ましい。前記テープ巾Ｂが２０mm未満の場合は摘み代の巾寸法として不十分であり、３５mmを越える場合には、腹部に圧迫感を与えるなど装着感を損なうものとなる。なお、テープ本体部１１Ｂのおむつ側縁２ａからの全突出量Ｃは、５０mm以下とするのが望ましい。
【００３６】
また、前記基材シート１１のテープ本体部１１Ｂは、その巾方向中心線Ｋ１が前記おむつ取付部１１Ａの上縁１１ｂから該取付部１１Ａの巾寸法Ｄに対して１／４〜２／５の範囲（寸法Ｅ）に位置するように相対的に上部側に偏倚させて形成され、かつ前記ファスニングテープ１０の紙おむつ１への取付位置は、おむつ取付部１１Ａの上縁１１ｂがおむつ開口縁２ｂよりも股間側に５〜３０mmの位置（寸法Ｆ）とするのが望ましい。
【００３７】
前記テープ本体１１Ｂをおむつ取付部１１Ａに対して相対的に上側に偏倚させて形成するとともに、ファスニングテープ１０自体をおむつ取付部１１Ａの上縁１１ｂがおむつ開口縁２ｂよりも股間側に５〜３０mmに位置（寸法Ｆ）するように配置することにより、背側両側部のおむつフラップ部分のめくれ及び脚回りフラップのめくれを防止しながら良好な状態でおむつを装着できるようになる。
【００３８】
すなわち、同図３に示されるように、おむつを装着するにあたり、テープ本体部１１Ｂの先端を摘んで前身頃側に引き寄せた際、おむつ取付部１１Ａにおいて、その上部側部分Ｚ１には水平方向の引張力が作用し、おむつの脇部フラップのめくれを防止しながらおむつを装着可能になるとともに、前記おむつ取付部１１Ａの下部側部分Ｚ２には、基材シート１１の下方側への拡がりによって力が分散し、斜め上方向に向かう作用力が発生する。従って、この斜め上方向の引張力によって足回りにおける脚部フラップのめくれを防止することができる。
【００３９】
また、前記テープ本体部１１Ｂは、おむつ外側縁２ａとの交線部におけるテープ巾Ｇは３０〜５０mmとされ、かつおむつ取付部１１Ａにおける巾寸法Ｄは、前記テープ本体部１１Ｂの面ファスナー外側縁１２ｂより側方に突出する摘み代部分１１ａの中央位置（Ｋ２線位置）におけるテープ巾Ｂに対して１．５〜３．０倍の寸法とするのが望ましい。前記おむつ取付部１１Ａの巾寸法を大きく設定することにより、背側両側部のおむつフラップ部分のめくれをより効果的に防止できるようになるとともに、おむつ取付部１１Ａをしっかりさせることにより装着状態でのおむつズレを効果的に防止できるようになる。
【００４０】
前記ファスニングテープ１０においては、図４に示されるように、おむつ取付部１１Ａに対し、巾方向に沿って伸縮性基材１４を配設し、該おむつ取付部１１Ａに伸縮性を付与することができる。前記おむつ取付部１１Ａに伸縮性を付与することにより、おむつ装着状態で身体への追随性が向上し、面ファスナー１２が前身頃（外面バックシート２）から外れるのを効果的に防止できるようになる。
【００４１】
前記伸縮性基材１４は、同図４に示されるように、伸縮性基材１４の両側に夫々、ファスニングテープを構成する基材シート１１Ｃ、１１Ｄを接続することにより、基材シート１１Ｃ、伸縮性基材１４、基材シート１１Ｄの順で連続させたファスニングテープ１０とすることでも良いし、基材シート１１の一方側の面に前記伸縮性基材１４を重ねて貼着することでもよい。この場合は、伸縮性基材１４の配設領域において、基材シート１１に多数の孔を形成しておき、基材シート１１によって伸縮性が阻害されないようにしておく。
【００４２】
一方、前記面ファスナー１２は、基材シート１１に対し接着剤により剥離不能に接着されている。前記面ファスナー１２は、その外面に多数の係合片１２ａ、１２ａ…を有する。係合片１２ａの形状としては、例えばレ字状、Ｊ字状、マッシュルーム状、Ｔ字状等のものが存在するが、いずれの形状であってもよい。好ましいのはＴ字状のものである。前記ファスニングテープ１０は製品状態では、透液性トップシート３側に折り畳まれ、前記面ファスナー１２がサイド不織布７に対して剥離可能に接合された状態となっている。
【００４３】
他方、不織布からなる前記外面バックシート２は、外面側の少なくとも前記ファスニングテープ１０の係合領域として想定される所定範囲１５（以下、起毛範囲という。）に対して起毛処理を施してある各種の不織布とするのが望ましい。前記起毛範囲１５は、任意に設定することができるが、体型差を考慮した上で十分に広く設定するのが望ましい。
【００４４】
不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、ニードルパンチ法等の適宜の加工法によって得られた不織布を用いることができるが、これらの不織布の中で、エアスルー不織布又はスパンボンド不織布を用いるのが望ましい。これらの不織布は、繊維同士を堅固に熱融着させているため、繊維の脱落が無く、安定した係合力を確保できるようになる。
【００４５】
前記ファスニングテープ１０の外面バックシート２に対する係合力は、せん断力で１０ｇ以上、引張力（剥離力）で２．５ｇ以上であることが望ましい。前記外面バックシート２を構成する不織布は、デニール数は１．０〜１５ｄとするのが望ましく、目付けは１５〜３０g/m２とするのが望ましい。
【００４６】
ところで、前記紙おむつ１において、おむつの装着性を向上させるとともに、おむつ装着状態で身体への追随性を上げるには、図１に示されるように、左右一対のファスニングテープ１０，１０の中間に対応する部分に、おむつ長手方向におむつ製品長さの１／１０〜１／４の範囲（寸法Ｈ）に亘り、水平方向に沿って弾性伸縮部材１３，１３…又は弾性伸縮部材１３，１３…と共に、これら弾性伸縮部材１３，１３…を包括するシート材を配設するのが望ましい。前記弾性伸縮部材１３，１３…を配設することにより、ファスニングテープ１０によるおむつ装着時に、ファスニングテープ１０を摘んで前身頃側に引寄せ易くなるとともに、締付力の調整がし易くなる。さらに、前記弾性伸縮部材１３，１３…又はシート材に対して着色を施すことにより、見た目のしっかり感も向上することになる。
【００４７】
前記弾性伸縮部材１３、１３…の長さ寸法は、おむつ取付部１１Ａ、１１Ａの間の寸法がＩであるとすると、長さ寸法Ｊは０．８〜１．５×Ｉの寸法の範囲で調整するのが望ましい。
【００４８】
前記弾性伸縮部材１３，１３…は、外面バックシート２と、透液性トップシート３、吸収体４、サイド不織布７等との間に直接的に介在させるように配置することでも良いし、或いは２枚の基材シートの間に弾性伸縮部材１３，１３…が配設されたシート材を予め用意しておき、このシート材を外面バックシート２と、透液性トップシート３、吸収体４、サイド不織布７等との間に介在させるようにしてもよい。この場合、前記弾性伸縮部材１３及び／又は前記２枚の基材シートの少なくとも一方側に着色を施しておくことにより、見た目のしっかり感が向上するようになる。
【００４９】
〔他の形態例〕
(1)上記形態例では外面バックシート２と防漏シート６とが別々の部材であるとしたが、予めフィルムと不織布とがラミネートされたラミネート不織布を用いることもできる。
【図面の簡単な説明】
【００５０】
【図１】本発明に係る使い捨ておむつ１の一部破断展開図である。
【図２】図１のII−II線矢視図である。
【図３】ファスニングテープ１０部分の要部拡大図である。
【図４】ファスニングテープ１０の他例を示す、(A)は平面図、(B)はB-B線矢視図である。
【図５】従来の使い捨て紙おむつの斜視図である。
【図６】従来のテープ式紙おむつを示す斜視図である。
【符号の説明】
【００５１】
１…使い捨ておむつ、、２…外面バックシート、３…透液性トップシート、４…吸収体、５…クレープ紙、６…防漏シート、７…サイド不織布、８・９…弾性伸縮部材、１０…ファスニングテープ、１１…基材シート、１１Ａ…おむつ取付部、１１Ｂ…テープ本体部、１１ａ…摘み代部分、１２…面ファスナー、１３…弾性伸縮部材、１４…伸縮材基材、１５…起毛範囲
【図１】
0004698338.tif 000002
【図２】
0004698338.tif 000003
【図３】
0004698338.tif 000004
【図４】
0004698338.tif 000005
【図５】
0004698338.tif 000006
【図６】
0004698338.tif 000007